(57)【要約】［課題］  複数の光出力部が出力する光信号を正確な波長間隔に設定できる光通信装置等を提供する。［解決手段］  本発明の光通信装置は、互いに異なる波長の光信号を出力する複数の光出力部と、前記複数の光出力部から出力される複数の光信号を合波した波長多重信号を出力する合波部と、基準となる基準光を出力する基準光出力部と、前記基準光に基づいて、所定の周波数に応じた波長間隔を持つ複数の光を出力する波長生成部と、前記波長多重信号と、前記複数の光のうち少なくとも１つの波長の光との干渉成分に応じて、前記光出力部が出力する光信号の波長を制御する波長制御部と、を備える。
2015146105.tif 000002
【特許請求の範囲】
【請求項１】
互いに異なる波長の光信号を出力する複数の光出力手段と、
前記複数の光出力手段から出力される複数の光信号を合波した波長多重信号を出力する合波手段と、
基準となる基準光を出力する基準光出力手段と、
前記基準光に基づいて、所定の周波数に応じた波長間隔を持つ複数の光を出力する波長生成手段と、
前記波長多重信号と、前記複数の光のうち少なくとも１つの波長の光との干渉成分に応じて、前記光出力手段が出力する光信号の波長を制御する波長制御手段と、
を備える光通信装置。
【請求項２】
前記波長制御手段は、前記波長多重信号と、前記複数の光のうち少なくとも１つの波長の光とを比較する比較手段を含むことを特徴とする請求項１に記載の光通信装置。
【請求項３】
前記波長制御手段は、
前記波長多重信号と、前記複数の光のうち少なくとも１つの波長の光とをコヒーレント検波するコヒーレント検波手段と、
コヒーレント検波手段から入力した干渉信号に基づいて、前記波長多重信号に含まれる光信号の少なくとも１つの光信号の波長と、前記複数の光のうち少なくとも１つの光の波長との差分を検出する波長ずれ検出手段と
を含むことを特徴とする請求項１又は２に記載の光通信装置。
【請求項４】
前記波長生成手段が生成する複数の光から、少なくとも１つの波長の光を選択する波長選択手段を備えることを特徴とする請求項１乃至３のいずれかに記載の光通信装置。
【請求項５】
前記波長選択手段に対して、選択させる前記少なくとも１つの波長を指示する波長切替手段を備えることを特徴とする請求項４に記載の光通信装置。
【請求項６】
前記波長切替手段は、前記波長選択手段に指示した少なくとも１つの波長に基づいて、前記複数の光出力手段のうち出力する光信号の波長を制御する光出力手段を前記波長制御手段に通知し、
前記波長制御手段は、前記波長切替手段から通知された前記光出力手段が出力する光信号の波長を制御する
ことを特徴とする請求項５に記載の光通信装置。
【請求項７】
前記波長切替手段は、前記波長選択手段に指示する少なくとも１つの波長と、前記波長制御手段に通知する光出力手段とを順次変更し、
前記波長制御手段は、前記波長切替手段から通知された前記光出力手段が出力する光信号の波長を順次制御する
ことを特徴とする請求項５又は６に記載の光通信装置。
【請求項８】
前記波長生成手段は、
所定の周波数のクロック信号を出力するマイクロ波発振器と、
前記基準光に基づいて、前記所定の周波数に応じた波長間隔を持つ複数の光を出力する光コム発生器と
を備えることを特徴とする請求項１乃至７のいずれかに記載の光通信装置。
【請求項９】
互いに異なる波長の光信号を出力する複数の光出力手段と、
前記複数の光出力手段から出力される複数の光信号を合波した波長多重信号を出力する合波手段と、
基準となる基準光を出力する基準光出力手段と、
前記基準光に基づいて、所定の周波数に応じた波長間隔を持つ複数の光を出力する波長生成手段と、
前記波長多重信号と、前記複数の光のうち少なくとも１つの波長の光との干渉成分に応じて、前記光出力手段が出力する光信号の波長を制御する波長制御手段と、
を備える光通信装置と、
前記光通信装置に対して、所定のタイミングで、前記複数の光出力手段の少なくとも１つが出力する光信号の波長の制御を実行する旨を指示する制御装置と
を含む光通信システム。
【請求項１０】
前記制御装置は、前記光信号の波長を制御する光出力手段を指定し、前記指定した光出力手段を前記光通信装置に通知することを特徴とする請求項９に記載の光通信システム。
【請求項１１】
前記所定のタイミングは、前記制御装置が前記複数の光出力手段が出力する光信号の波長の割り当てを変更するタイミングであることを特徴とする請求項９又は１０に記載の光通信システム。
【請求項１２】
前記所定のタイミングは、前記制御装置が前記複数の光出力手段が出力する光信号の波長間隔を変更するタイミングであることを特徴とする請求項９乃至１１のいずれかに記載の光通信システム。
【請求項１３】
前記制御装置は、前記波長間隔を変更したことに応じて、前記波長生成手段が生成する複数の光の波長間隔を変更する旨を前記光通信装置に指示することを特徴とする請求項１２に記載の光通信システム。
【請求項１４】
互いに異なる波長の複数の光信号を光出力手段から出力し、
前記複数の光信号を合波した波長多重信号を出力し、
基準となる基準光を出力し、
前記基準光に基づいて、所定の周波数に応じた波長間隔を持つ複数の光を出力し、
前記波長多重信号と、前記複数の光のうち少なくとも１つの波長の光との干渉成分に応じて、前記光出力手段が出力する光信号の波長を制御する
ことを特徴とする光通信方法。
【請求項１５】
互いに異なる波長の光信号を出力する処理と、
前記複数の光信号を合波した波長多重信号を出力する処理と、
基準となる基準光を出力する処理と、
前記基準光に基づいて、所定の周波数に応じた波長間隔を持つ複数の光を出力する処理と、
前記波長多重信号と、前記複数の光のうち少なくとも１つの波長の光との干渉成分に応じて、前記光出力手段が出力する光信号の波長を制御する処理と
をコンピュータに実行させるためのプログラムを記録した、プログラムの記録媒体。
【発明の詳細な説明】
【技術分野】
【０００１】
本発明は、光通信装置、光通信システム及び光送信方法に関する。
【背景技術】
【０００２】
光ファイバ伝送システムの伝送容量を増大させるために、波長多重光信号の波長（周波数）間隔を狭くし、周波数利用効率を上げる方法がある。しかしながら、波長多重光信号の波長が高密度になることにより、隣接チャネル間の光スペクトルの重なり（クロストーク）の影響が大きくなり、当該波長多重光信号の伝送品質が劣化するという問題がある。【０００３】
上記問題に対して、特許文献１には、透過波長可変型フィルタを用いて、複数の光送信器の各々が出力する光信号の波長を、基準波長光信号の波長に一致させる技術が開示されている。当該基準波長光信号は、所定の光源をマイクロ波発振器の出力で周波数変調することで得られる、波長間隔が一定の複数の光信号の１つである。特許文献１に記載の技術は、複数の光送信器から出力される複数の光信号の波長間隔を、当該マイクロ波発振器が発振する波長間隔に一致させる。【０００４】
特許文献１に記載の技術では、複数の光送信器の各々が当該透過波長可変型フィルタを備え、当該光送信器において、基準波長光信号の強度が最大となるように当該透過波長可変型フィルタを制御する。その後、光送信器は、出力する光信号の波長が当該透過波長可変型フィルタにおいて最大となるように、当該出力する光信号の波長を制御する。このように、特許文献１に記載の技術では、透過波長可変型フィルタを用いて、間接的に、複数の光送信器の各々が出力する光信号の波長を基準波長光信号に一致させる。また、特許文献２には、波長多重光通信ネットワークで用いられる光送信器あるいは光受信器の周波数制御方法が記載されている。
【先行技術文献】
【特許文献】
【０００５】
【特許文献１】特開２００１−２０３６４３号公報
【特許文献２】特開平０８−１８１６６０号公報
【発明の概要】
【発明が解決しようとする課題】
【０００６】
上記のとおり、特許文献１に記載の技術は、透過波長可変型フィルタを用いて、間接的に、基準波長光信号に含まれる波長と複数の光送信器が出力する光信号の波長とを一致させる。【０００７】
しかしながら、特許文献１に記載の技術において、調整される光信号の波長は透過波長可変型フィルタの精度に依存する。また、透過波長可変型フィルタの特性は温度変化や経時変化によって変化する。これに伴い調整される光信号の波長もずれ、隣接チャネル間の光スペクトルの重なりにより波長多重光信号の伝送品質が劣化するという問題が生じる。そして、特許文献２は、このような問題を解決するための技術を開示していない。【０００８】
本発明の目的は、上記の課題を解決し、波長間隔がより高精度な波長多重光信号を出力することができる光通信装置等を提供することである。
【課題を解決するための手段】
【０００９】
本発明の光通信装置は、互いに異なる波長の光信号を出力する複数の光出力部と、前記複数の光出力部から出力される複数の光信号を合波した波長多重信号を出力する合波部と、基準となる基準光を出力する基準光出力部と、前記基準光に基づいて、所定の周波数に応じた波長間隔を持つ複数の光を出力する波長生成部と、前記波長多重信号と、前記複数の光のうち少なくとも１つの波長の光との干渉成分に応じて、前記光出力部が出力する光信号の波長を制御する波長制御部と、を備える。【００１０】
本発明の通信システムは、互いに異なる波長の光信号を出力する複数の光出力部と、前記複数の光出力部から出力される複数の光信号を合波した波長多重信号を出力する合波部と、基準となる基準光を出力する基準光出力部と、前記基準光に基づいて、所定の周波数に応じた波長間隔を持つ複数の光を出力する波長生成部と、前記波長多重信号と、前記複数の光のうち少なくとも１つの波長の光との干渉成分に応じて、前記光出力部が出力する光信号の波長を制御する波長制御部と、を備える光通信装置と、前記光通信装置に対して、所定のタイミングで、前記複数の光出力部の少なくとも１つが出力する光信号の波長の制御を実行する旨を指示する制御装置とを含む。【００１１】
本発明の光通信方法は、互いに異なる波長の光信号を出力し、前記複数の光信号を合波した波長多重信号を出力し、基準となる基準光を出力し、前記基準光に基づいて、所定の周波数に応じた波長間隔を持つ複数の光を出力し、前記波長多重信号と、前記複数の光のうち少なくとも１つの波長の光との干渉成分に応じて、前記光出力部が出力する光信号の波長を制御することを特徴とする。【００１２】
本発明のプログラムの記録媒体は、互いに異なる波長の光信号を出力する処理と、前記複数の光信号を合波した波長多重信号を出力する処理と、基準となる基準光を出力する処理と、前記基準光に基づいて、所定の周波数に応じた波長間隔を持つ複数の光を出力する処理と、前記波長多重信号と、前記複数の光のうち少なくとも１つの波長の光との干渉成分に応じて、前記光出力部が出力する光信号の波長を制御する処理とをコンピュータに実行させるプログラムを記録する。
【発明の効果】
【００１３】
本発明の光通信装置等は、波長間隔がより高精度な波長多重光信号を出力することができるという効果がある。
【図面の簡単な説明】
【００１４】
【図１】本発明の第１の実施形態における、光通信装置の構成例を示す図である。
【図２】本発明の第１の実施形態における、光通信装置の動作例を示すフローチャートである。
【図３】本発明の第２の実施形態における、光通信装置１の構成例を示す図である。
【図４】本発明の第２の実施形態における、複数の光出力部１０が出力する光信号の周波数の状態と、合波部１３が出力する波長多重信号に含まれる複数の光信号の周波数の状態との例を示す図である。
【図５】本発明の第２の実施形態における、基準光出力部１４が出力する基準光の周波数の状態と、光コム発生器１１が発生する複数のサイドバンド光（光コム）の周波数の状態を示す図である。
【図６】本発明の第２の実施形態における、光コム発生器１１が発生する複数の光信号のうち波長選択部１８が選択した光信号の周波数の状態と、波長制御部１６が周波数を調整する前後の光出力部１０−２の周波数の状態の例を示す図である。
【図７】本発明の第２の実施形態における、光通信装置１の動作例を示すフローチャートである。
【図８】本発明の第３の実施形態における、光通信装置１の構成例を示す図である。
【図９】本発明の第３の実施形態における、光通信装置１の動作例を示すフローチャートである。
【図１０】本発明の第４の実施形態における、通信システムの構成例を示す図である。
【図１１】本発明の第４の実施形態における、光通信装置１の構成例を示す図である。
【図１２】本発明の第４の実施形態における、光通信装置１の動作例を示すフローチャートである。
【発明を実施するための形態】
【００１５】
＜第１の実施形態＞
本発明の第１の実施形態について、図面を参照して説明する。
【００１６】
図１は、本発明の第１の実施形態における、光通信装置１の構成例を示す図である。図１に示すように、光通信装置１は、複数の光出力部１０−１〜１０−Ｎ（特に区別する必要が無い場合、「光出力部１０」と記載する）と、合波部１３と、基準光出力部１４と、波長生成部１５と、波長制御部１６とを備える。
【００１７】
複数の光出力部１０の各々は、互いに異なる波長の光信号を出力する。
【００１８】
合波部１３は、当該複数の光出力部１０から出力される複数の光信号を合波した波長多重信号を光通信装置１の外部に出力する。また、合波部１３は、例えば、光カプラ等によって波長多重信号の一部を分岐し、波長制御部１６に当該波長多重信号の一部を出力することができる。
【００１９】
基準光出力部１４は、各光出力部１０が出力する光信号の波長の基準となる基準光を出力する。光出力部１０及び基準光出力部１４は、例えば、コヒーレント光を出力することが可能であるレーザ等である。なお、当該レーザは構造等の種類は問わず、例えば、可変波長レーザ等の出力波長を変更することが可能なものであってもよい。
【００２０】
波長生成部１５は、例えば、光伝送路にて伝送される波長多重光信号の各光信号の波長間隔に応じた周波数を有する電気信号に基づき、当該周波数に対応する波長間隔の複数の光を出力する。波長生成部１５は、例えば、位相変調器と共振器を組み合わせた光コム発生器により複数の光を出力してもよい。
【００２１】
波長制御部１６は、波長生成部１５からの光の波長と合波部１３からの波長多重光信号の波長とを比較する。波長制御部１６は、例えば、光干渉計のように２つの入力光を直接的に干渉させることで、波長生成部１５からの光と合波部１３からの波長多重光信号とを比較する。ここで、干渉させる光は、例えば、波長多重光信号の内の一部の光信号でもよいし、波長生成部１５からの複数の光の内の一部としてもよい。なお、複数の波長の光から一部の波長の光を取り出すことは、光フィルタ等によって実現可能である。
【００２２】
波長制御部１６は、比較した結果に基づいて、当該比較した波長に対応する光出力部１０が出力する光信号の波長を制御する。波長制御部１６は、例えば、波長生成部１５からの光と合波部１３からの波長多重光信号との波長ずれがなくなるように、光出力部１０から出力される光信号の波長を制御する。波長制御部１６は、例えば、光干渉計を用いた場合、２つの光の干渉が最も強くなるように光出力部１０の出力する光信号の波長を制御する。光出力部１０から出力される光信号の波長は、例えば、レーザの温度や駆動電流によって変化させてもよいし、可変波長レーザの場合には発振波長を制御してもよい。
【００２３】
図２は、本発明の第１の実施形態における、光通信装置１の動作例を示すフローチャートである。
【００２４】
複数の光出力部１０の各々が、互いに異なる波長の光信号を出力する（Ｓ１０１）。
【００２５】
合波部１３が、複数の光出力部１０から出力される複数の光信号を合波した波長多重信号を光通信装置１の外部に出力するととともに、当該波長多重信号の一部を分岐し、波長制御部１６に当該波長多重信号の一部を出力する（Ｓ１０２）。
【００２６】
基準光出力部１４は、各光出力部１０が出力する光信号の波長の基準となる基準光を出力する（Ｓ１０３）。
【００２７】
波長生成部１５が、光伝送路にて伝送される波長多重光信号の各光信号の波長間隔に応じた周波数である電気信号に基づき、当該周波数に対応する波長間隔の複数の光を出力する（Ｓ１０４）。
【００２８】
波長制御部１６が、波長生成部１５からの光の波長と、合波部１３からの波長多重光信号の波長とを比較し、比較した結果に基づいて、光出力部１０が出力する光信号の波長を制御する（Ｓ１０５）。
【００２９】
上記の通り、本発明の第１の実施形態の光通信装置１の波長制御部１６は、波長生成部１５からの光の波長と、合波部１３からの波長多重光信号の波長とを直接比較し、当該比較した波長に対応する光出力部１０が出力する光信号の波長を制御する。したがって、本発明の第１の実施形態における光通信装置１は、波長間隔がより高精度な波長多重光信号を出力することができる。
【００３０】
＜第２の実施形態＞
本発明の第２の実施形態について、図面を参照して説明する。なお、本発明の第２の実施形態において、本発明の第１の実施形態と同様の構成については、説明を省略する。
【００３１】
図３は、本発明の第２の実施形態における、光通信装置１の構成例を示す図である。図３に示すように、本発明の第２の実施形態における光通信装置１は、光出力部１０−１〜１０−５と、合波部１３と、基準光出力部１４と、波長生成部１５と、波長制御部１６と、波長選択部１８と、波長切替部１９とを備える。なお、光出力部１０の数は５つに限られず、いくつであってもよい。また、波長生成部１５は、光コム発生器１１と、マイクロ波発振器１２とを含む。また、波長制御部１６は、比較部１７を備える。
【００３２】
複数の光出力部１０の各々は、互いに異なる波長の光信号を出力する。複数の光出力部１０の各々が出力する光信号の波長は、所定の間隔となるように設定されている。しかしながら、複数の光出力部１０の各々が出力する光信号の波長は、デバイス固有の光周波数設定確度に起因して、設定されている波長からずれてしまう可能性がある。
【００３３】
図４は、複数の光出力部１０が出力する光信号の波長に対応する周波数の状態と、合波部１３が出力する波長多重信号に含まれる複数の光信号の光スペクトルの状態との例を示す図である。なお、図４の例は、光出力部１０−２が出力する光信号の周波数が「＋Δｆ」だけずれている場合の例である。なお、光出力部１０は、例えば経時変化によって、出力する光信号の周波数が所望の周波数と比較して「＋Δｆ」ずれてしまう。
【００３４】
図４において、光出力部１０−１が出力する光信号の周波数ｆ１は「ｆ１＝ｆ０−２×ｆｍ」と、光出力部１０−２が出力する光信号の周波数ｆ２は「ｆ２＝ｆ０−ｆｍ＋Δｆ」と表せる。ここで、ｆ０は、基準光出力部１４が出力する基準光の周波数である。また、ｆｍは、光出力部１０から出力される隣接する光信号（すなわち、隣接チャネル間）の周波数間隔である。同様に、光出力部１０−３が出力する光信号の周波数ｆ３は、「ｆ３＝ｆ０」と、光出力部１０−４が出力する光信号の周波数ｆ４は「ｆ４＝ｆ０＋ｆｍ」と、光出力部１０−５が出力する光信号の周波数ｆ５は「ｆ５＝ｆ０＋２×ｆｍ」と表せる。
【００３５】
図４に示すように、光出力部１０−２が出力する光信号の周波数が「＋Δｆ」だけずれると、波長多重信号において隣接チャネル間（光出力部１０−２が出力する光信号と、光出力部１０−３が出力する光信号）の光スペクトルが重なってしまう。
【００３６】
そこで、本発明の第２の実施形態の光通信装置１は、複数の光出力部１０が出力する光信号の波長を、光コム発生器１１が発生する光のうちの少なくとも１つの光の波長に一致させるよう、複数の光出力部１０の少なくとも１つが出力する光信号の波長を制御する。
【００３７】
なお、本発明の第２の実施形態において、複数の光出力部１０は、隣接するチャネル間において光スペクトルが重なる程度以上には、ずれないように制御される。複数の光出力部１０は、例えば温度管理等がなされている。このため、当該隣接チャネル間における光スペクトルが重なる程度の波長（当該波長に対応する周波数）のずれを考慮すれば足りる。
【００３８】
合波部１３は、複数の光出力部１０の各々が出力した光信号を合波した波長多重信号を光通信装置１の外部に出力する。また、合波部１３は、例えば、光カプラ等によって波長多重信号の一部を分岐し、比較部１７に当該波長多重信号の一部を出力することができる。
【００３９】
基準光出力部１４は、各光出力部１０が出力する光信号の波長の基準となる、周波数ｆ０に対応する波長の基準光を出力する。基準光出力部１４が出力した基準光は、光コム発生器１１に入力される。
【００４０】
波長生成部１５内のマイクロ波発振器１２は、周波数Ｆｍのクロック信号（電気信号）を出力する。周波数Ｆｍは、例えば、５０ＧＨｚや４０ＧＨｚである。クロック信号の周波数Ｆｍは、複数の光出力部１０が出力する複数の光信号の波長間隔に対応する。マイクロ波発振器１２が出力したクロック信号は、光コム発生器１１に入力される。なお、マイクロ波発振器１２には、例えば、特許第３４４４９５８号公報に記載の変調用発振器を用いることができる。
【００４１】
光コム発生器１１は、マイクロ波発振器１２から入力されるクロック信号により駆動し、周波数ｆ０に対応する波長の基準光を入力した場合、当該周波数ｆ０を中心に周波数Ｆｍ間隔に対応する波長の複数のサイドバンド光（光コム）を発生させる。
【００４２】
ここで、光コム発生器１１には、特許第３４４４９５８号公報に記載の光コムジェネレータを用いることができる。当該特許第３４４４９５８号公報に記載の光コムジェネレータは、波長安定化光源から出射されたレーザ光の光周波数を中心にｆｍの光周波数間隔で並ぶ数百本の光スペクトル線から成る光コムを出力する。
【００４３】
図５は、基準光出力部１４が出力する基準光の周波数の状態と、光コム発生器１１が発生する光コムの周波数の状態を示す図である。図５に示すように、光コム発生器１１から出力される複数の光は、基準光の周波数ｆ０を中心に、周波数Ｆｍ間隔の光コムである。光コム発生器１１が発生する当該光コムの周波数間隔は高精度に管理されており、マイクロ波発振器１２から入力されるクロック信号の周波数Ｆｍに高精度で一致する。
【００４４】
波長選択部１８は、光コム発生器１１が発生する光コムに含まれる複数の光のうち、波長切替部１９から指定された波長の光を、比較部１７に入力する。波長選択部１８には、例えば、特許第４７４８５１４号公報に記載の波長選択スイッチを用いることができる。当該波長選択スイッチは、入力された複数の光のうち、所望の波長の光を出力することができる。当該波長選択スイッチは、基板上に形成された光導波路回路と当該光導波路回路に熱変動を加えて光信号経路の切り替え制御を行う制御手段を有し、出力する光の波長を的確に制御することができる。
【００４５】
比較部１７は、波長生成部１５からの光の波長と合波部１３からの波長多重光信号の波長とを比較する。具体的には、比較部１７は、波長多重信号に含まれる光出力部１０−２が出力した光信号の波長に対応する周波数「ｆ２＝ｆ０−ｆｍ＋Δｆ」と、波長選択部１８から入力された光の波長に対応する周波数「ｆ０−２×Ｆｍ」とを比較する。比較部１７には、特許第２７５８５５６号公報に記載の光信号検出装置を用いることができる。特許第２７５８５５６号公報に記載の光信号検出装置は、入力された２つの光信号の差である干渉強度（干渉成分）を測定する。比較部１７は、比較の結果、両者の光信号の周波数の差（「Δｆ」）に対応する波長の差を検出する。
【００４６】
波長制御部１６は、比較部１７が検出した波長の差（ずれ）を補償するように、光出力部１０の出力する光信号の波長を制御する。ここで、光出力部１０には、例えば、特許第３１９７８６９号公報に記載の波長可変レーザ装置を用いることができる。特許第３１９７８６９号公報に記載の波長可変レーザは、波長選択素子として回折格子が用いられており、当該回折格子の角度を調節することにより、出力する（選択する）波長を変化させることができる。
【００４７】
波長切替部１９は、波長選択部１８が選択する波長を指定し、当該指定した波長の光を出力することを波長選択部１８に要求する。また、波長切替部１９は、指定した波長の光信号を出力する光出力部１０を特定し、特定した光出力部１０（例えば、光出力部１０−２）を波長制御部１６に通知する。
【００４８】
図６は、光コム発生器１１が発生する複数の光のうち波長選択部１８が選択した（波長切替部１９が指定した）光の波長に対応する周波数の状態を示す図である。また、図６は、波長制御部１６が波長のずれを制御する前後における、光出力部１０−２が出力する光信号の波長に対応する周波数の状態を示す図である。
【００４９】
なお、図６は、光出力部１０−２が出力する光信号が周波数Δｆに対応する波長分だけずれており、波長制御部１６が当該周波数Δｆに対応する波長成分を補償する場合の例である。
【００５０】
図６に示すように、波長制御部１６は、光出力部１０−２が出力する光信号の周波数のずれ「Δｆ」（に対応する波長のずれ）を補償する。波長制御部１６は、光出力部１０−２が出力する光信号の周波数を、波長選択部１８が選択した光の周波数「ｆ０−Ｆｍ」に一致させるように制御することで、両者の波長のずれを補償する。
【００５１】
波長切替部１９は、制御対象の光出力部１０−１〜１０−５と、波長選択部１８で選択する光とを順番に切り替えながら、全ての光出力部１０に対して、出力する光信号の波長を制御してもよい。これによって、光通信装置１は、光出力部１０−１〜１０−５の各々が出力する光信号の波長間隔を、光コム発生器１１が発生する複数のサイドバンド光（光コム）の周波数間隔である「Ｆｍ」に対応する波長間隔とすることができる。
【００５２】
図７は、本発明の第２の実施形態における、光通信装置１の動作例を示すフローチャートである。なお、図７の例は、光出力部１０−２が出力する光信号の波長が、周波数「＋Δｆ」に対応する波長分だけずれており、当該光出力部１０−２が出力する光信号の波長を補償する場合の例である。
【００５３】
複数の光出力部１０の各々が、互いに異なる波長の光信号を出力する（Ｓ２０１）。
【００５４】
複数の光出力部１０から出力される複数の光信号を合波した波長多重信号を光通信装置１の外部に出力するととともに、当該波長多重信号の一部を分岐し、比較部１７に当該波長多重信号の一部を出力する（Ｓ２０２）。
【００５５】
基準光出力部１４は、各光出力部１０が出力する光信号の波長の基準となる、周波数ｆ０の基準光を出力する（Ｓ２０３）。
【００５６】
波長生成部１５が、基準光出力部１４が出力する周波数ｆ０に対応する波長の基準光に基づいて、当該周波数ｆ０を中心とした周波数Ｆｍ間隔に対応する波長の複数の光を発生する（Ｓ２０４）。
【００５７】
波長選択部１８は、発生した複数の光信号のうち、波長切替部１９から指定された波長の光を、波長制御部１６内の比較部１７に入力する（Ｓ２０５）。
【００５８】
比較部１７は、波長生成部１５からの光の波長と合波部１３からの波長多重光信号の波長とを比較し、当該比較の結果、両者の周波数の差（「Δｆ」）に対応する波長の差を検出する（Ｓ２０６）。
【００５９】
波長制御部１６は、比較部１７が検出した波長の差（ずれ）を補償するように、光出力部１０−２が出力する光信号の波長を制御する（Ｓ２０７）。
【００６０】
上記の通り、本発明の第２の実施形態の光通信装置１の波長制御部１６は、波長生成部１５からの光の波長と、合波部１３からの波長多重光信号の波長とを直接比較し、当該比較した波長に対応する光出力部１０が出力する光信号の波長を制御する。したがって、本発明の第１の実施形態における光通信装置１は、波長間隔がより高精度な波長多重光信号を出力することができる。
【００６１】
＜第３の実施形態＞
本発明の第３の実施形態について、図面を参照して説明する。
【００６２】
本発明の第３の実施形態では、光通信装置１はコヒーレント検波部を備える。そして、波長多重信号と基準光との干渉特性を用いて、光出力部１０内のＬＤ１０１が出力する光信号の周波数が制御される。
【００６３】
図８は、本発明の第３の実施形態における、光通信装置１の構成例を示す図である。図８に示すように、本発明の第３の実施形態における光通信装置１は、比較部１７の代わりに、コヒーレント検波部２０と、波長ずれ検出部２１とを含む。また、光通信装置１は、分岐器２２を備える。また、光通信装置１は、ＬＤ（Ｌａｓｅｒ  Ｄｉｏｄｅ）１０１−１〜１０１−５（特に区別する必要が無い場合、「ＬＤ１０１」と記載する）と、光変調器１０２―１〜１０２−５（特に区別する必要が無い場合、「光変調器１０２」と記載する）とを含む。
【００６４】
ＬＤ１０１は、所定の周波数の光信号を出力する。なお、なお、複数のＬＤ１０１の各々が出力する光信号の波長は、所定の間隔となるように設定されている。ここで、ＬＤ１０１が出力する光信号の波長は、ＬＤ１０１のデバイス固有の光周波数設定確度のために、設定された波長に対して所定のずれが生じる場合がある。
【００６５】
光変調器１０２は、ＬＤ１０１が出力した光信号に対してデータ変調を行い、合波部１３に出力する。
【００６６】
合波部１３は、複数の光出力部１０から出力される複数の光信号を合波した波長多重信号を分岐部２２に出力する。
【００６７】
分岐器２２は、合波部１３から出力される波長多重信号を分岐し、一方を伝送路に出力し、他方をコヒーレント検波部２０に出力する。
【００６８】
波長選択部１８は、光コム発生器１１が発生する光コムに含まれる複数の光（サイドバンド光）のうち、波長切替部１９から指定された波長の光を、コヒーレント検波部２０に入力する。
【００６９】
コヒーレント検波部２０は、分岐器２２から入力された波長多重信号と、波長選択部１８から入力された所定の波長の光とをコヒーレント検波する。コヒーレント検波部２０は、分岐器２２から入力された波長多重信号と、当該波長選択部１８から入力された光との干渉信号を、波長ずれ検出部２１に出力する。
【００７０】
コヒーレント検波部２０は、分岐器２２から入力された波長多重信号と、波長選択部１８から入力された光とを干渉させるコヒーレントミキサーと呼ばれる９０度ハイブリッドミキサー（図示されていない）を備える。当該コヒーレントミキサーは、分岐器２２から入力された波長多重信号と、波長選択部１８から入力された光とが干渉した信号（干渉信号）を出力する。
【００７１】
波長ずれ検出部２１は、入力される干渉信号に基づいて、波長多重信号のうち波長選択部１８から入力された波長多重信号に含まれる光信号の少なくとも１つと、波長選択部１８から入力された光との波長の差（ずれ）を検出する。
【００７２】
ここで、波長ずれ検出部２１には、特許第５１４６２８５号公報に記載の周波数オフセット補償装置における周波数オフセット推定器を用いることができる。周波数オフセットは、入力光とローカル光との周波数の差である。当該周波数オフセット推定器は、フロントエンド回路からベースバンド電気信号を入力し、当該ベースバンド電気信号に含まれる周波数オフセットを推定し、推定した周波数オフセットを電気信号として後段の装置へ出力する。なお、本発明の第３の実施形態では、波長ずれ検出部２１は、推定した周波数オフセットに対応する波長の差（ずれ）を電気信号として出力する。
【００７３】
波長制御部１６は、波長ずれ検出部２１が検出した波長の差（ずれ）を補償するように、複数の光出力部１０のうち波長切替部１９から指定された光出力部１０が出力する光信号の波長を調整する。複数の光出力部１０には、第２の実施形態と同様、例えば特許第３１９７８６９号公報に記載の波長可変レーザ装置を用いることができる。
【００７４】
図９は、本発明の第３の実施形態における、光通信装置１の動作例を示すフローチャートである。なお、図９の例は、光出力部１０−２が出力する光信号の波長が、周波数「＋Δｆ」に対応する波長分だけずれており、当該光出力部１０−２が出力する光信号の波長を補償する場合の例である。
【００７５】
複数の光出力部１０内のＬＤ１０１の各々が、互いに異なる波長の光信号を出力する（Ｓ３０１）。
【００７６】
光変調器１０２の各々が、ＬＤ１０１が出力した光信号に対してデータ変調を行い、合波部１３に出力する（Ｓ３０２）。
【００７７】
合波部１３が、複数の光出力部１０の各々が出力した光信号を合波し、波長多重信号を出力する（Ｓ３０３）。
【００７８】
分岐器２２は、合波部１３から出力される波長多重信号を分岐し、一方を伝送路に出力し、他方をコヒーレント検波部２０に出力する（Ｓ３０４）。
【００７９】
基準光出力部１４は、各光出力部１０が出力する光信号の波長の基準となる、周波数ｆ０の基準光を出力する（Ｓ３０５）。
【００８０】
波長生成部１５が、基準光出力部１４が出力する周波数ｆ０に対応する波長の基準光に基づいて、当該周波数ｆ０を中心とした周波数Ｆｍ間隔に対応する波長の複数の光を発生する（Ｓ３０６）。
【００８１】
波長選択部１８は、発生した複数の光信号のうち、波長切替部１９から指定された波長の光を、コヒーレント検波部２０に入力する（Ｓ３０７）。
【００８２】
コヒーレント検波部２０は、波長選択部１８からの光の波長と合波部１３からの波長多重光信号の波長とが干渉した信号（干渉信号）を、波長ずれ検出部２１に出力する（Ｓ３０８）。
【００８３】
波長ずれ検出部２１は、干渉信号に基づいて、波長多重信号に含まれる光信号の少なくとも１つと、波長選択部１８から入力された光との波長の差（ずれ）を検出する（Ｓ３０９）。
【００８４】
波長制御部１６は、波長ずれ検出部２１が検出した波長の差（ずれ）を補償するように、光出力部１０−２内のＬＤ１０１−２が出力する光信号の波長を制御する（Ｓ３１０）。
【００８５】
上記の通り、本発明の第３の実施形態の光通信装置１はコヒーレント検波部２０を備え、波長多重信号と基準光とを直接干渉させ、干渉特性を用いて光出力部１０内のＬＤ１０２を制御する。したがって、本発明の第３の実施形態における光通信装置１は、波長間隔がより高精度な波長多重光信号を出力することができる。
【００８６】
＜第４の実施形態＞
本発明の第４の実施形態について、図面を参照して説明する。
【００８７】
本発明の第４の実施形態は、光通信装置１に対して波長の制御を行うタイミングを指示する制御装置を備えるものである。
【００８８】
図１０は、本発明の第４の実施形態における、通信システムの構成例を示す図である。図１０に示すように、本発明の第４の実施形態における通信システムは、光通信装置１―１〜１−４（特に区別する必要が無い場合、「光通信装置１」と記載する）と、伝送路２と、制御装置３とを備える。なお、図１０の例では、光通信装置１は４つであるが、光通信装置１の数は４つに限られず、いくつであってもよい。
【００８９】
伝送路２は、光ファイバで構成され、例えば複数の光ファイバを束ねて構成されていてもよい。
【００９０】
制御装置３は、所定のタイミングで、光通信装置１に対して、複数の光出力部１０の少なくとも１つが出力する光信号の波長の制御を実行する旨を指示する。波長の制御を行うタイミングは、例えば、ＬＤ１０１の経時変化に基づいて予め定められた周期である。
【００９１】
また、制御装置３は、波長の制御を行う光出力部１０を指定しても良い。この場合において、制御装置３は、波長切替部１９に対して、波長の制御を行う光出力部１０を指定する。そして、光通信装置１は、制御装置３から指定された光出力部１０が出力する光信号の波長を制御する。
【００９２】
また、波長の制御を行うタイミングは、光通信装置１において、光出力部１０に対する波長の割り当てを変更した場合（チャネルの割り当てを変更した場合）であってもよい。複数の光出力部１０の各々は、互いに異なる波長が割り当てられており、当該割り当てられた波長の光信号に対してデータ変調を実行し、当該波長の光信号を出力する。例えば、光通信装置１は、チャネル間隔の変更（例えば、５０ＧＨｚのチャネル間隔を、４０ＧＨｚに変更する場合など）に伴い、光出力部１０に対する波長の割り当てを変更する。光出力部１０に対する波長の割り当てを変更した場合、光出力部１０内のＬＤ１０１（例えば、波長可変レーザ）が発振する光信号の波長を変化させるため、変化後のＬＤ１０１が出力する光信号の波長が、所望の波長に比べてずれてしまう可能性がある。そこで、制御装置３は、当該波長のずれを解消するために、光通信装置１に対して波長の制御を実行させる。
【００９３】
なお、波長の制御を行うタイミングは、上記の例に限られず、例えば光通信装置１に新たな光出力部１０を追加した場合などに実行してもよい。
【００９４】
図１１は、本発明の第４の実施形態における、光通信装置１の構成例を示す図である。なお、図１１の例は、チャネル間隔の変更（例えば、５０ＧＨｚから４０ＧＨｚへの変更）を行う際に、光出力部１０が出力する波長の制御を行う場合の例である。
【００９５】
図１１に示すように、チャネル間隔の変更を行う場合、光通信装置１の光出力部１０の各々は、制御装置３から、新たに割り当てられた波長を通知される。光出力部１０の各々は、制御装置３からの通知に基づいて、出力する光信号の波長を変更する。
【００９６】
また、光通信装置１のマイクロ波発振器１２は、制御装置３から、出力するクロック信号の周波数Ｆｍの変更を要求される。マイクロ波発振器１２は、制御装置３からの要求に応じて、クロック信号の周波数Ｆｍを変更する（例えば、５０ＧＨｚから４０ＧＨｚに変更する）。光コム発生器１１はマイクロ波発振器１２から入力されるクロック信号により駆動されるため、当該光コム発生器１１が出力する光コムの周波数間隔Ｆｍが変化する（例えば、周波数間隔が５０ＧＨｚから４０ＧＨｚに変化する）。
【００９７】
また、光通信装置１の波長切替部１９は、制御装置３から、複数の光出力部１０の各々に設定された波長（複数の光出力部１０の各々が出力する光信号の波長）の通知を受ける。波長切替部１９は、制御装置３から通知された波長に基づいて、波長選択部１８が選択する光の波長を指定する。波長選択部１８は、波長切替部１９が指定した波長の光を、波長生成部１５が生成した複数の光から選択して、コヒーレント検波部２０に入力する。また、波長切替部１９は、制御装置３からの通知に基づいて、当該指定した波長に対応する光信号を出力する光出力部１０を特定し、特定した光出力部１０を波長制御部１６に通知する。波長制御部１６は、波長切替部１９から通知に基づいて、当該特定した光出力部１０が出力する光信号の波長を制御する。
【００９８】
図１２は、本発明の第４の実施形態における、光通信装置１の動作例を示すフローチャートである。なお、図１２の例は、チャネル間隔の変更（例えば、５０ＧＨｚから４０ＧＨｚへの変更）を行う際に、光出力部１０が出力する波長を制御する場合の例である。
【００９９】
複数の光出力部１０内のＬＤ１０１の各々は、制御装置３から通知された波長の割り当ての変更に基づいて、出力する光信号の波長を変更する（Ｓ４０１）。
【０１００】
光変調器１０２の各々が、ＬＤ１０１が出力した光信号に対してデータ変調を行い、合波部１３に出力する（Ｓ４０２）。
【０１０１】
合波部１３が、複数の光出力部１０の各々が出力した光信号を合波し、波長多重信号を出力する（Ｓ４０３）。
【０１０２】
分岐器２２は、合波部１３から出力される波長多重信号を分岐し、一方を伝送路に出力し、他方をコヒーレント検波部２０に出力する（Ｓ４０４）。
【０１０３】
基準光出力部１４は、各光出力部１０が出力する光信号の波長の基準となる、周波数ｆ０の基準光を出力する（Ｓ４０５）。
【０１０４】
マイクロ波発振器１２は、制御装置３からの要求に基づいて、光コム発生器１１に出力するクロック信号の周波数Ｆｍを変更する（Ｓ４０６）。
【０１０５】
光コム発生器１１は、基準光出力部１４が出力する周波数ｆ０に対応する波長の基準光に基づいて、当該周波数ｆ０を中心とした周波数Ｆｍ間隔に対応する波長の複数の光を発生する（Ｓ４０７）。
【０１０６】
波長選択部１８は、光コム発生器１１が発生した複数の光信号のうち、波長切替部１９から指定された波長の光を、コヒーレント検波部２０に入力する（Ｓ４０８）。
【０１０７】
コヒーレント検波部２０は、波長選択部１８からの光の波長と合波部１３からの波長多重光信号の波長とが干渉した信号（干渉信号）を、波長ずれ検出部２１に出力する（Ｓ４０９）。
【０１０８】
波長ずれ検出部２１は、干渉信号に基づいて、波長多重信号に含まれる光信号の少なくとも１つと、波長選択部１８から入力された光との波長の差（ずれ）を検出する（Ｓ４１０）。
【０１０９】
波長制御部１６は、波長ずれ検出部２１が検出した波長の差（ずれ）を補償するように、光出力部１０−２内のＬＤ１０１−２が出力する光信号の波長を制御する（Ｓ４１１）。
【０１１０】
上記の通り、本発明の第４の実施形態は、光通信装置１に対して波長の制御を行うタイミングを指示する制御装置３を備え、光通信装置１は、当該制御装置３からの指示に基づいて、光出力部１０から出力する光信号の波長を制御する。したがって、光通信装置１は、制御装置３が指示するタイミングにより波長の制御を行うことができ、波長の制御を行うタイミングを柔軟に制御することが可能となる。
【０１１１】
（第５の実施形態）
本発明の第５の実施形態について、説明する。第５の実施形態において、光通信装置１のコンピュータ、ＣＰＵ（Ｃｅｎｔｒａｌ  Ｐｒｏｃｅｓｓｉｎｇ  Ｕｎｉｔ）又はＭＰＵ（Ｍｉｃｒｏ−Ｐｒｏｃｅｓｓｉｎｇ  Ｕｎｉｔ）等は、上述した各実施形態で説明された機能を実現するソフトウェア（プログラム）を実行する。
【０１１２】
本発明の第５の実施形態において、光通信装置１は、例えばＣＤ−Ｒ（Ｃｏｍｐａｃｔ  Ｄｉｓｃ  Ｒｅｃｏｒｄａｂｌｅ）等の、一時的なものでない、各種の記憶媒体又はネットワークを介して、上述した各実施形態の機能を実現するソフトウェア（プログラム）を取得する。光通信装置１が取得するプログラム、又は、該プログラムを記憶した記憶媒体は、本発明を構成することになる。なお、該ソフトウェア（プログラム）は、例えば、光通信装置１に含まれる所定の一時的なものでない記憶部に、予め記憶されていてもよい。
【０１１３】
光通信装置１のコンピュータ、ＣＰＵ又はＭＰＵ等は、取得したソフトウェア（プログラム）のプログラムコードを読み出して実行する。したがって、当該光通信装置１は、上述した各実施形態における光通信装置１の処理と同一の処理を実行する。
【０１１４】
本発明の第５の実施形態によれば、光通信装置１のコンピュータ、ＣＰＵ又はＭＰＵ等に実現するためのプログラムといった用途に適用できる。
【０１１５】
上記の実施形態の一部又は全部は、以下の付記のようにも記載されうるが、以下には限られない。
【０１１６】
［付記１］
互いに異なる波長の光信号を出力する複数の光出力部と、
前記複数の光出力部から出力される複数の光信号を合波した波長多重信号を出力する合波部と、
基準となる基準光を出力する基準光出力部と、
前記基準光に基づいて、所定の周波数に応じた波長間隔を持つ複数の光を出力する波長生成部と、
前記波長多重信号と、前記複数の光のうち少なくとも１つの波長の光との干渉成分に応じて、前記光出力部が出力する光信号の波長を制御する波長制御部と、
を備える光通信装置。
【０１１７】
［付記２］
前記波長制御部は、前記波長多重信号と、前記複数の光のうち少なくとも１つの波長の光とを比較する比較部を含むことを特徴とする付記１に記載の光通信装置。
【０１１８】
［付記３］
前記波長制御部は、
前記波長多重信号と、前記複数の光のうち少なくとも１つの波長の光とをコヒーレント検波するコヒーレント検波部と、
コヒーレント検波部から入力した干渉信号に基づいて、前記波長多重信号に含まれる光信号の少なくとも１つの光信号の波長と、前記複数の光のうち少なくとも１つの光の波長との差分を検出する波長ずれ検出部と
を含むことを特徴とする付記１又は２に記載の光通信装置。
【０１１９】
［付記４］
前記波長生成部が生成する複数の光から、少なくとも１つの波長の光を選択する波長選択部を備えることを特徴とする付記１乃至３のいずれかに記載の光通信装置。
【０１２０】
［付記５］
前記波長選択部に対して、選択させる前記少なくとも１つの波長を指示する波長切替部を備えることを特徴とする付記４に記載の光通信装置。
【０１２１】
［付記６］
前記波長生成部は、
所定の周波数のクロック信号を出力するマイクロ波発振器と、
前記基準光に基づいて、前記所定の周波数に応じた波長間隔を持つ複数の光を出力する光コム発生器と
を備えることを特徴とする付記１乃至５のいずれかに記載の光通信装置。
【０１２２】
［付記７］
前記波長切替部は、前記波長選択部に指示した少なくとも１つの波長に基づいて、前記複数の光出力部のうち出力する光信号の波長を制御する光出力部を前記波長制御部に通知し、
前記波長制御部は、前記波長切替部から通知された前記光出力部が出力する光信号の波長を制御する
ことを特徴とする付記６に記載の光通信装置。
【０１２３】
［付記８］
前記波長切替部は、前記波長選択部に指示する少なくとも１つの波長と、前記波長制御部に通知する光出力部とを順次変更し、
前記波長制御部は、前記波長切替部から通知された前記光出力部が出力する光信号の波長を順次制御する
ことを特徴とする付記６又は７に記載の光通信装置。
【０１２４】
［付記９］
互いに異なる波長の光信号を出力する複数の光出力部と、
前記複数の光出力部から出力される複数の光信号を合波した波長多重信号を出力する合波部と、
基準となる基準光を出力する基準光出力部と、
前記基準光に基づいて、所定の周波数に応じた波長間隔を持つ複数の光を出力する波長生成部と、
前記波長多重信号と、前記複数の光のうち少なくとも１つの波長の光との干渉成分に応じて、前記光出力部が出力する光信号の波長を制御する波長制御部と、
を備える光通信装置と、
前記光通信装置に対して、所定のタイミングで、前記複数の光出力部の少なくとも１つが出力する光信号の波長の制御を実行する旨を指示する制御装置と
を含む光通信システム。
【０１２５】
［付記１０］
前記制御装置は、前記光信号の波長を制御する光出力部を指定し、前記指定した光出力部を前記光通信装置に通知することを特徴とする付記９に記載の光通信システム。
【０１２６】
［付記１１］
前記所定のタイミングは、前記制御装置が前記複数の光出力部が出力する光信号の波長の割り当てを変更するタイミングであることを特徴とする付記９又は１０に記載の光通信システム。
【０１２７】
［付記１２］
前記所定のタイミングは、前記制御装置が前記複数の光出力部が出力する光信号の波長間隔を変更するタイミングであることを特徴とする付記９乃至１１のいずれかに記載の光通信システム。
【０１２８】
［付記１３］
前記制御装置は、前記波長間隔を変更したことに応じて、前記波長生成部が生成する複数の光の波長間隔を変更する旨を前記光通信装置に指示することを特徴とする付記１２に記載の光通信システム。
【０１２９】
［付記１４］
互いに異なる波長の光信号を出力し、
前記複数の光信号を合波した波長多重信号を出力し、
基準となる基準光を出力し、
前記基準光に基づいて、所定の周波数に応じた波長間隔を持つ複数の光を出力し、
前記波長多重信号と、前記複数の光のうち少なくとも１つの波長の光との干渉成分に応じて、前記出力する光信号の波長を制御する
ことを特徴とする光通信方法。
【０１３０】
［付記１５］
前記波長多重信号と、前記複数の光のうち少なくとも１つの波長の光とを比較することを特徴とする付記１４に記載の光通信方法。
【０１３１】
［付記１６］
前記波長多重信号と、前記複数の光のうち少なくとも１つの波長の光とをコヒーレント検波し、
前記コヒーレント検波して得られた干渉信号に基づいて、前記波長多重信号に含まれる光信号の少なくとも１つの光信号の波長と、前記複数の光のうち少なくとも１つの光の波長との差分を検出する
ことを特徴とする付記１４又は１５に記載の光通信方法。
【０１３２】
［付記１７］
前記生成する複数の光から、少なくとも１つの波長の光を選択することを特徴とする付記１４乃至１６のいずれかに記載の光通信方法。
【０１３３】
［付記１８］
前記選択させる前記少なくとも１つの波長を指示することを特徴とする付記１７に記載の光通信方法。
【０１３４】
［付記１９］
所定の周波数のクロック信号を出力し、
前記基準光に基づいて、前記所定の周波数に応じた波長間隔を持つ複数の光を出力する
ことを特徴とする付記１４乃至１８のいずれかに記載の光通信方法。
【０１３５】
［付記２０］
互いに異なる波長の光信号を出力する処理と、
前記複数の光信号を合波した波長多重信号を出力する処理と、
基準となる基準光を出力する処理と、
前記基準光に基づいて、所定の周波数に応じた波長間隔を持つ複数の光を出力する処理と、
前記波長多重信号と、前記複数の光のうち少なくとも１つの波長の光との干渉成分に応じて、前記出力する光信号の波長を制御する処理と
をコンピュータに実行させることを特徴とするプログラム。
【０１３６】
［付記２１］
前記波長多重信号と、前記複数の光のうち少なくとも１つの波長の光とを比較する処理を含むことを特徴とする付記２０に記載のプログラム。
【０１３７】
［付記２２］
前記波長多重信号と、前記複数の光のうち少なくとも１つの波長の光とをコヒーレント検波する処理と、
前記コヒーレント検波して得られた干渉信号に基づいて、前記波長多重信号に含まれる光信号の少なくとも１つの光信号の波長と、前記複数の光のうち少なくとも１つの光の波長との差分を検出する処理と
を含むことを特徴とする付記２０又は２１に記載のプログラム。
【０１３８】
［付記２３］
前記生成する複数の光から、少なくとも１つの波長の光を選択する処理を含むことを特徴とする付記２０至２２のいずれかに記載のプログラム。
【０１３９】
［付記２４］
前記選択させる前記少なくとも１つの波長を指示する処理を含むことを特徴とする付記２３に記載のプログラム。
【０１４０】
［付記２５］
所定の周波数のクロック信号を出力する処理と、
前記基準光に基づいて、前記所定の周波数に応じた波長間隔を持つ複数の光を出力する処理と
を含むことを特徴とする付記２０乃至２４のいずれかに記載のプログラム。
【０１４１】
以上、実施形態を参照して本願発明の実施形態を説明した。しかし、本願発明が適用可能な形態は上述した実施形態に限定されない。本願発明の構成や詳細説明には、本願発明のスコープ内で当業者が理解し得る様々な変更をすることができる。
【０１４２】
この出願は、２０１４年３月２７日に出願された日本出願特願２０１４−０６５０１１を基礎とする優先権を主張し、その開示の全てをここに取り込む。
【符号の説明】
【０１４３】
１、１−１、１−２、１−３、１−４  光通信装置
２  伝送路
３  制御装置
１０、１０−１、１０−２、１０−３、１０−４、１０−５  光出力部
１１  光コム発生器
１２  マイクロ波発振器
１３  合波部
１４  基準光出力部
１５  波長生成部
１６  波長制御部
１７  比較部
１８  波長選択部
１９  波長切替部
２０  コヒーレント検波部
２１  波長ずれ検出部
２２  分岐器
１０１  ＬＤ
１０２  光変調器
【図１】
2015146105.tif 000003
【図２】
2015146105.tif 000004
【図３】
2015146105.tif 000005
【図４】
2015146105.tif 000006
【図５】
2015146105.tif 000007
【図６】
2015146105.tif 000008
【図７】
2015146105.tif 000009
【図８】
2015146105.tif 000010
【図９】
2015146105.tif 000011
【図１０】
2015146105.tif 000012
【図１１】
2015146105.tif 000013
【図１２】
2015146105.tif 000014
【手続補正書】
【提出日】平成28年8月23日(2016.8.23)
【手続補正１】
【補正対象書類名】特許請求の範囲
【補正対象項目名】請求項１５
【補正方法】変更
【補正の内容】
【請求項１５】
互いに異なる波長の光信号を出力する処理と、
前記複数の光信号を合波した波長多重信号を出力する処理と、
基準となる基準光を出力する処理と、
前記基準光に基づいて、所定の周波数に応じた波長間隔を持つ複数の光を出力する処理と、
前記波長多重信号と、前記複数の光のうち少なくとも１つの波長の光との干渉成分に応じて、前記光出力手段が出力する光信号の波長を制御する処理と
をコンピュータに実行させるためのプログラム。
【国際調査報告】
2015146105.tif 000015
2015146105.tif 000016
2015146105.tif 000017
2015146105.tif 000018